(57)【要約】【課題】マッサージ器を利用しつつ両手を自由に活用できると共に、必要時には即座にリモコンを操作できるリモコン保持器を提供すること。【解決手段】土台部２１の上面には溝状のレール２１ａが２本平行に形成され、第２保持部材２３は、レール２１ａに案内されつつ摺動可能に保持され、第２保持部材２３を第１保持部材２２と離反する方向へ摺動させつつ、リモコン部を第１保持部材２２と第２保持部材２３との間の挟入させる。土台部２１の下方に配設された装着部３を人体に巻きつき固定することでリモコン保持部１が人体に保持される。よって、両手をマッサージに活用でき、必要時には即座にリモコン部を操作することができる。【選択図】図１
0003152135.tif 000002
【実用新案登録請求の範囲】
【請求項１】
マッサージ機能を有する本体部とその本体部を制御するリモコン部とを備えるマッサージ器の前記リモコン部を保持する保持部と、
前記保持部に配設されると共に人体に巻き付き可能に構成される装着部とを備えていることを特徴とするリモコン保持器。
【請求項２】
前記保持部は、前記リモコン部を下方から支持する土台部と、弾性体から構成されると共に両端が前記土台部に接続される帯状の緊締部材とを備えていることを特徴とする請求項１記載のリモコン保持器。
【請求項３】
前記保持部は、前記土台部と、その土台部に立設される第１保持部材と、その第１保持部材に対向して配設される第２保持部材とを備えていることを特徴とする請求項１記載のリモコン保持器。
【請求項４】
前記保持部は、第１保持部材および第２保持部材のうち少なくとも前記第２保持部材が前記第１保持部材に対して接近および離反可能に構成されていることを特徴とする請求項３記載のリモコン保持器。
【請求項５】
前記保持部は、第１保持部材および第２保持部材のうち少なくとも前記第２保持部材を前記第１保持部材へ向けて付勢する付勢部材を備えていることを特徴とする請求項４記載のリモコン保持器。
【請求項６】
前記土台部は、Ｕ字状に切り込まれたスリットと、前記スリットに包囲され前記第２保持部材の移動を規制する調整部とを備えると共に、箱状に形成され、
前記調整部は、前記第２保持部材が前記第１保持部材に対して接近および離反する方向に沿って少なくとも２つ形成される係合部を備え、
前記第１保持部材および前記第２保持部材のうち少なくとも前記第２保持部材は、前記係合部に係合するストッパを備え、
前記係合部と前記ストッパとが係合することにより少なくとも第２保持部材の移動が規制されていることを特徴とする請求項４又は５に記載のリモコン保持器。
【請求項７】
前記第１保持部材および前記第２保持部材は、互いに対向して配設され平面状に形成される対向面を備え、
前記保持部は、第１保持部材および第２保持部材のうち少なくとも前記第２保持部材を仮想直線に沿って移動可能に案内するレールを備えると共に、前記対向面は、前記仮想直線に対して垂直に構成されていることを特徴とする請求項４から６のいずれかに記載のリモコン保持器。
【請求項８】
前記第１保持部材および前記第２保持部材は、前記対向面に配設されると共に弾性体から構成される第１当接部材を備えていることを特徴とする請求項７記載のリモコン保持器。
【請求項９】
前記土台部は、上面側に配設されると共に弾性体から構成される第２当接部材を備えていることを特徴とする請求項１から８のいずれかに記載のリモコン保持器。
【請求項１０】
前記装着部は、平板状の板ばねとして形成される板ばね部材と、その板ばね部材を被包する被包部材とを備え、
前記板ばね部材は、前記板ばね部材の長手方向両端を一の屈曲方向に反らせることで平板形状を維持可能に形成されると共に、前記一の屈曲方向と反対方向に反らせることで前記板ばね部材の有する付勢力により渦巻状に湾屈可能に形成されることを特徴とする請求項１から９のいずれかに記載のリモコン保持器。
【請求項１１】
前記保持部は、弾性体からなるクッション材を備え、
前記装着部が前記クッション材に貫設されていることを特徴とする請求項１から１０のいずれかに記載のリモコン保持器。
【考案の詳細な説明】
【技術分野】
【０００１】
本考案は、リモコン保持器に関し、特に、マッサージ器を利用しつつ両手を自由に活用できると共に、必要時には即座にリモコンを操作できるリモコン保持器に関するものである。
【背景技術】
【０００２】  （公序良俗違反につき、不掲載）マッサージ器具としては、多種多様な器具が存在する。その中には、マッサージ機能を有する本体部とその本体部を制御するリモコン部を備えるマッサージ器が多数存在する（例えば、米国特許５５７３４９９号）。また、それらのマッサージ器の種類として、本体部を２つ備えているものや本体部の振動速度を多段階に調整できるものがある。
【先行技術文献】
【特許文献】
【０００３】
【特許文献１】米国特許第５５７３４９９号
【考案の概要】
【考案が解決しようとする課題】
【０００４】
マッサージ器の使用者が一方の手でリモコン部を握持し、他方の手で本体部を使用してマッサージを行う場合、両手が塞がってしまう。そのため、例えば、本体部が２つあるマッサージ器を使用してもその利点を十分に活用できず、また、特に、使用者が他人にマッサージを施す場合、使用者が一方の手で本体部を使用しながら他方の手で相手に愛撫等のマッサージをしようとしても、他方の手はリモコンを握持しているので、その手を自由に動かすことはできず、満足にマッサージを行うことができない。そこで、使用者は両手を使ってマッサージすべく、リモコン部を手に持たずにマッサージ器を使用することがある。
【０００５】
しかしながら、リモコン部を手に持たずに本体部を使用すると、本体部の振動速度を調整するなどのためにリモコン部を操作しようとしても、マッサージ中は照明を消している場合も多く、即座にリモコン部を見つけることができない。また、本体部とリモコン部とがコードで接続されている場合、本体部を使用しながら体勢を変えるなどして、無意識にリモコン部を本体部で引っ張ってしまうことでコードを損傷したり、コードがまわりの物に引っかかることでマッサージの邪魔になるなどの問題点がある。さらに、マッサージ器を寝ながら使用する場合も多く、寝返りをうった際に背中などでリモコン部を潰してしまい、使用者が怪我をしたり、リモコン部を破損させてしまうという問題点がある。
【０００６】
本考案は、上述した問題点を解決するためになされたものであり、両手を自由に活用可能としつつ、必要時には即座にリモコンを操作できると共に、使用時におけるマッサージ器の損傷を防止できるリモコン保持器を提供することを目的としている。
【課題を解決するための手段】
【０００７】
この目的を達成するために、請求項１記載のリモコン保持器は、マッサージ機能を有する本体部とその本体部を制御するリモコン部とを備えるマッサージ器の前記リモコン部を保持する保持部と、前記保持部に配設されると共に人体に巻き付き可能に構成される装着部とを備えている。
【０００８】
請求項２記載のリモコン保持器は、請求項１記載のリモコン保持器において、前記保持部は、前記リモコン部を下方から支持する土台部と、弾性体から構成されると共に両端が前記土台部に接続される帯状の緊締部材とを備えている。
【０００９】
請求項３記載のリモコン保持器は、請求項１記載のリモコン保持器において、前記保持部は、前記土台部と、その土台部に立設される第１保持部材と、その第１保持部材に対向して配設される第２保持部材とを備えている。
【００１０】
請求項４記載のリモコン保持器は、請求項３記載のリモコン保持器において、前記保持部は、第１保持部材および第２保持部材のうち少なくとも前記第２保持部材が前記第１保持部材に対して接近および離反可能に構成されている。
【００１１】
請求項５記載のリモコン保持器は、請求項４記載のリモコン保持器において、前記保持部は、第１保持部材および第２保持部材のうち少なくとも前記第２保持部材を前記第１保持部材へ向けて付勢する付勢部材を備えている。
【００１２】
請求項６記載のリモコン保持器は、請求項４又は５に記載のリモコン保持器において、前記土台部は、Ｕ字状に切り込まれたスリットと、前記スリットに包囲され前記第２保持部材の移動を規制する調整部とを備えると共に、箱状に形成され、前記調整部は、前記第２保持部材が前記第１保持部材に対して接近および離反する方向に沿って少なくとも２つ形成される係合部を備え、前記第１保持部材および前記第２保持部材のうち少なくとも前記第２保持部材は、前記係合部に係合するストッパを備え、前記係合部と前記ストッパとが係合することにより少なくとも第２保持部材の移動が規制されている。
【００１３】
請求項７記載のリモコン保持器は、請求項４から６のいずれかに記載のリモコン保持器において、前記第１保持部材および前記第２保持部材は、互いに対向して配設され平面状に形成される対向面を備え、前記保持部は、第１保持部材および第２保持部材のうち少なくとも前記第２保持部材を仮想直線に沿って移動可能に案内するレールを備えると共に、前記対向面は、前記仮想直線に対して垂直に構成されている。
【００１４】
請求項８記載のリモコン保持器は、請求項７記載のリモコン保持器において、前記第１保持部材および前記第２保持部材は、前記対向面に配設されると共に弾性体から構成される当接部材を備えている。
【００１５】
請求項９記載のリモコン保持器は、請求項１から８のいずれかに記載のリモコン保持器において、前記土台部は、上面側に配設されると共に弾性体から構成される第２当接部材を備えている。
【００１６】
請求項１０記載のリモコン保持器は、請求項１から９のいずれかに記載のリモコン保持器において、前記装着部は、平板状の板ばねとして形成される板ばね部材と、その板ばね部材を被包する被包部材とを備え、前記板ばね部材は、前記板ばね部材の長手方向両端を一の屈曲方向に反らせることで平板形状を維持可能に形成されると共に、前記一の屈曲方向と反対方向に反らせることで前記板ばね部材の有する付勢力により渦巻状に湾屈可能に形成される。
【００１７】
請求項１１記載のリモコン保持器は、請求項１から１０のいずれかに記載のリモコン保持器において、前記保持部は、弾性体からなるクッション材を備え、前記装着部が前記クッション材に貫設されている。
【考案の効果】
【００１８】
請求項１記載のリモコン保持器によれば、リモコン部を保持する保持部と、保持部に配設されると共に人体に巻き付き可能に構成される装着部とを備えている。よって、リモコン部を手首や腕等に巻きつけ固定することができる。よって、両手をマッサージに活用できるばかりでなく、必要時には即座にリモコン部を操作することができるという効果がある。
【００１９】
また、例えば、マッサージ保持器を右手首に装着しながら右手で本体部を所持することができるので、本体部とリモコン部とがコードで接続されていても、使用時にコードがまわりの物に引っかかるなどによりコードが邪魔になることを防止できる。さらに、コードにゆとりを持たせることができ、本体部でリモコン部を引っ張ることによるコードの損傷を防ぐことができるという効果がある。
【００２０】
請求項２記載のリモコン保持器によれば、請求項１記載のリモコン保持器の奏する効果に加え、保持部が、リモコン部を下方から支持する土台部と、弾性体から構成されると共に両端が土台部に接続される帯状の緊締部材を備えている。よって、緊締部材の弾性により、リモコン部を土台部に容易かつ確実に固定することができるという効果がある。また、土台部を小型化および軽量化することができるので、装着時における使用者の負担を減らすことができるという効果がある。さらに、製造する際の作業工数や部品数が少ないため、製造コストを削減することができるという効果がある。
【００２１】
請求項３記載のリモコン保持器によれば、請求項１記載のリモコン保持器の奏する効果に加え、土台部と、その土台部に立設される第１保持部材と、その第１保持部材に対向して配設される第２保持部材とを備えているので、第１保持部材と第２保持部材との間にリモコン部を挟持固定させることができる。よって、リモコン部をリモコン保持器に着脱する作業を容易に行うことができるという効果がある。
【００２２】
請求項４記載のリモコン保持器によれば、請求項３記載のリモコン保持器の奏する効果に加え、第１保持部材および第２保持部材のうち少なくとも第２保持部材が第１保持部材に対して接近および離反可能に構成されているので、第１保持部材と第２保持部材との距離を調整することができる。よって、１つのリモコン保持器で、様々な形状のリモコン部を保持することができるという効果がある。
【００２３】
請求項５記載のリモコン保持器によれば、請求項４記載のリモコン保持器の奏する効果に加え、第１保持部材および第２保持部材のうち少なくとも第２保持部材を第１保持部材へ向けて付勢する付勢部材を備えているので、リモコン部をリモコン保持器に装着する際、第１保持部材と第２保持部材との間にリモコン部を挟入すると、リモコン部は付勢部材の付勢により挟持固定させることができる。よって、より容易かつ確実にリモコン部をリモコン保持器に固定することができるという効果がある。
【００２４】
請求項６記載のリモコン保持器によれば、請求項４又は５に記載のリモコン保持器の奏する効果に加え、土台部が少なくとも２つ形成される係合部を備え、第１保持部材および第２保持部材のうち少なくとも第２保持部材はストッパを備え、係合部とストッパとが係合することにより少なくとも第２保持部材の移動が規制されているので、リモコン部の形状に合わせて第２保持部材を第１保持部材から近接または離反する方向に移動させ、第１保持部材と第２保持部材との間にリモコン部を挟入し、ストッパにより第２保持部材を係合部に係合させることで、リモコン部を挟持固定することができる。よって、容易かつ確実にリモコン部をリモコン保持器に固定することができる。
【００２５】
さらに、Ｕ字状に切りこまれたスリットに包囲される調整部が係合部を備えているので、第２保持部材を移動させる際に、調整部を押圧することで下方へ押し下げることができる。よって、調整部とストッパとの係合が解除され、容易に第２保持部材を移動させることができる。また、調整部への押圧を止めることで、押し下げられた調節部が弾性によりもとの位置まで上昇し、再びストッパに係合部を係合させることができる。これにより、容易かつ確実にリモコン部をリモコン保持器に固定できる。
【００２６】
請求項７記載のリモコン保持器によれば、請求項４から６のいずれかに記載のリモコン保持器の奏する効果に加え、第１保持部材および第２保持部材は、互いに対向して配設され平面状に形成される対向面を備え、保持部は、第１保持部材および第２保持部材のうち少なくとも第２保持部材を仮想直線に沿って移動可能に案内するレールを備えると共に、対向面は、仮想直線に対して垂直に構成されているので、リモコン部を第１保持部材と第２保持部材とで挟持する際、リモコン部の形状に関わらず、平面状に形成される対向面の向きを平行に保ちながら、リモコン部の両側面に第１保持部材および第２保持部材を当接させることができる。よって、リモコン部をより安定的に挟持固定することができるという効果がある。
【００２７】
請求項８記載のリモコン保持器によれば、請求項７記載のリモコン保持器の奏する効果に加え、第１保持部材および前記第２保持部材は、対向面に配設されると共に弾性体から構成される第１当接部材を備えているので、第１保持部材と第２保持部材とによりリモコン部を挟持固定する際、第１当接部材をリモコン部の形状に応じて変形させながらリモコン部に当接させることができる。よって、リモコン部により広い面積で当接することができ、リモコン保持器にリモコン部をより確実に固定させることができるという効果がある。
【００２８】
請求項９記載のリモコン保持器によれば、請求項１から８のいずれかに記載のリモコン保持器の奏する効果に加え、土台部の上面側に第２当接部材を備えているので、第２当接部材をリモコン部の形状に応じて変形させながらリモコン部に当接させることができる。よって、リモコン部により広い面積で当接することができ、リモコン保持器にリモコン部をより確実に固定させることができるという効果がある。
【００２９】
請求項１０記載のリモコン保持器によれば、請求項１から９のいずれかに記載のリモコン保持器の奏する効果に加え、装着部は、平板状の板ばねとして形成される板ばね部材と、その板ばね部材を被包する被包部材とを備え、板ばね部材は、板ばね部材の長手方向両端を一の屈曲方向に反らせることで平板形状を維持可能に形成されると共に、一の屈曲方向と反対方向に反らせることで板ばね部材の有する付勢力により渦巻状に湾屈可能に形成されるので、リモコン保持器を人体に着脱する作業をより容易に行うことができるという効果がある。
【００３０】
さらに、装着部は手首等の太さに応じて巻きつく際の湾屈量を変位させることができるため、装着する度に装着部の長さ調整をする必要がなく、リモコン保持器を人体により素早く装着することができるという効果がある。
【００３１】
請求項１１記載のリモコン保持器によれば、請求項１から１０のいずれかに記載のリモコン保持器の奏する効果に加え、保持部は、弾性体からなるクッション材を備えているので、リモコン保持器を人体に装着する際、クッション材を人体の形状に合わせて適合させることができる。よって、リモコン保持器を装着した際の不快感を低減させることができるという効果がある。また、リモコン保持器を手首等に装着しながらマッサージをしても、リモコン保持器をガタつかせず、人体にしっかり固定させることができるという効果がある。
【００３２】
さらに、装着部がクッション材に貫設されているため、一の屈曲方向に反らされたことにより平板形状を維持している装着部を手首等の人体に向けて勢いよく当接させると、クッション材は人体の形状に応じて変形すると共に、当接の衝撃により人体がクッション材を介して装着部を一の屈曲方向とは反対方向に押圧することができる。これにより、装着部を一の屈曲方向と反対の方向に反らして、人体に巻きつかせることでリモコン保持器が人体に固定されるので、より容易にかつ素早くリモコン保持器を人体に装着することができるという効果がある。
【図面の簡単な説明】
【００３３】
【図１】本考案の第１実施の形態におけるリモコン保持器の上面図であり、（ａ）はリモコン保持器の上面図であり、（ｂ）はリモコン保持器の正面図である。
【図２】（ａ）は図１（ａ）のＩＩａ−ＩＩａ線におけるリモコン保持器の断面図であり、（ｂ）は図１（ａ）のＩＩｂ−ＩＩｂ線におけるリモコン保持器の断面図であり、（ｃ）は、図２（ｂ）のＩＩｃ部分におけるリモコン保持器の拡大断面図である。
【図３】（ａ）はリモコン部装着時におけるリモコン保持器の上面図であり、（ｂ）はリモコン部装着時におけるリモコン保持器の正面図である。
【図４】リモコン保持器が手首に装着された際におけるリモコン保持部の斜視図である。
【図５】（ａ）は第２実施の形態におけるリモコン保持器の上面図であり、（ｂ）はＶｂ−Ｖｂ線におけるリモコン保持器の断面図である。
【図６】（ａ）は第３実施の形態におけるリモコン部装着時のリモコン保持器の上面図であり、（ｂ）は図６（ａ）のＶＩｂ−ＶＩｂ線におけるリモコン部装着時のリモコン保持器の断面図である。
【考案を実施するための形態】
【００３４】
以下、本考案の好ましい実施の形態について、添付図面を参照して説明する。図１（ａ）は、本考案の第１実施の形態におけるリモコン保持器１の上面図であり、図１（ｂ）は、リモコン保持器１の正面図である。なお、図１では、装着部３の長手方向（図１左右方向）の記載を一部省略して記載している。図２及び図３についても同様である。
【００３５】
まず、図１を参照して、リモコン保持器１の概略構成について説明する。リモコン保持器１は、マッサージ機能を有する本体部１０１とその本体部１０１を制御するリモコン部１０２とを備えるマッサージ器１００（図４参照）のリモコン部１０２を保持すると共に手首に巻きつけ固定するための器具であり、リモコン部１０２を保持固定する保持部２と、保持部２を手首に巻きつき固定する装着部３とを備えている。
【００３６】
保持部２は、図１（ａ）及び図１（ｂ）に示すように、リモコン部１０２を下方から支持する箱状の土台部２１と、互いに対向して配置される第１保持部材２２及び第２保持部材２３とを主に備えている。土台部２１の上面には溝状のレール２１ａが２本平行に形成され、第２保持部材２３は、レール２１ａに案内されつつ摺動可能に保持されている。装着部３は、保持部２の下方に配設され、保持部２と反対方向へ湾屈可能に構成されている。
【００３７】
次に、図２を参照して、リモコン保持器１の詳細構成について説明する。図２（ａ）は図１（ａ）のＩＩａ−ＩＩａ線におけるリモコン保持器１の断面図であり、図２（ｂ）は図１（ａ）のＩＩｂ−ＩＩｂ線におけるリモコン保持器１の断面図であり、図２（ｃ）は、図２（ｂ）ＩＩｃ部分におけるリモコン保持器１の拡大断面図である。
【００３８】
図２（ａ）及び図２（ｂ）に示すように、土台部２１の内部に直方体形状の空間である内室２１ｂが形成されており、レール２１ａは、土台部２１の上面側から内室２１ｂまで貫通して形成されている。
【００３９】
第１保持部材２２は、矩形状の平面である第１対向面２２ａ１を備える平板状の部材であり、第２保持部材２３と対向しつつ第１対向面２２ａ１がレール２１ａと平行な仮想直線Ｌに対して垂直になるように土台部２１の上面に固着されている。なお、仮想直線Ｌは、レール２１ａ長手方向と平行で土台部２１の上面からの高さが一定である仮想線である。なお、第１対向面２２ａ１及び第２対向面２３ａ１の高さ方向（図２（ｂ）上下方向）の長さが約３ｃｍ、幅方向（図２（ｂ）左右方向）の長さが約１０ｃｍであることが好ましい。これにより、リモコン保持器１全体の大きさをコンパクトにしつつ、リモコン部１０２の側面部分を確実に固定することができる。
【００４０】
第２保持部材２３は、矩形状の平面である第２対向面２３ａ１を備える平板状の挟持部２３ａと、レール２１ａに対応する位置に、挟持部２３ａの下面に凸設して形成される棒状のスライド部２３ｂと、そのスライド部２３ｂの下端にフランジ状に形成される規制部２３ｃとを備え、図１（ａ）に示すように、第１保持部材２２と対向しつつ第２対向面２３ａ１が仮想直線Ｌに対して垂直になるように土台部２１の上面に配設されている。
【００４１】
図２（ｂ）に示すように、スライド部２３ｂは、幅方向（図２（ｂ）左右方向）の長さがレール２１ａの幅方向（図２（ｂ）左右方向）の長さより短く形成されると共に、レール２１ａ内に配設されている。また、規制部２３ｃは、幅方向（図２（ｂ）左右方向）の長さがレール２１ａの幅方向の長さより長く形成されつつ、内室２１ｂの上下方向（図２（ｂ）上下方向）の長さより短く形成されると共に、内室２１ｂ内に配設されている。
【００４２】
これにより、スライド部２３ｂにより幅方向への移動が規制されると共に規制部２３ｃにより上下方向の移動が規制されるので、第２保持部材２３を、仮想直線Ｌ方向にのみ摺動させることができる。また、第２保持部材２３を摺動させても第２対向面２３ａ１が第１対向面２２ａ１と対向している状態を保持することができる。
【００４３】
図２（ａ）に示すように、第１対向面２２ａ１及び第２対向面２３ａ１にはシリコンゴム等の弾性体から構成される第１当接部材２４ａが接着されている。よって、リモコン部１０２を挟持する際に、第１当接部材２４ａをリモコン部１０２に当接させることができる。同様に、土台部２１の上面側のうち、２本のレール２１ａに挟まれる部分と、その２本のレール２１ａに挟まれた部分のレール２１ａを介した両側の部分には、シリコンゴム等の弾性体から構成される第２当接部材２４ｂ，２４ｃが接着されている。
【００４４】
図２（ａ）に示すように、内室２１ｂには、コイルばねで構成される付勢部材２５が、伸縮方法が仮想直線Ｌと平行になるように配設され、一端が規制部２３ｃに接続されると共に他端が内室２１ｂの第１保持部材２２が配設される側の側壁（図２（ａ）左側）に接続されている。なお、図２（ａ）における第２保持部材２３は付勢部材２５によって第１保持部材２２に近接する方向へ付勢され、レール２１ａによって係止されている。また、第２保持部材２３を第１保持部材２２から離反する方向へ摺動させることで、第２保持部材２３は第１保持部材２２へ接近する方向へ付勢される。
【００４５】
土台部２１の下方には、不織布やウレタン等の弾性体から構成されるクッション材２６
が配設され、表面はＰＶＣ等の樹脂や綿などで覆われている。
【００４６】
装着部３は、渦巻状に湾屈する付勢力を有するように成形した薄板状の弾性体であり、図２（ｃ）に示すように、スチールやステンレス等の金属から構成される板ばね部材３１と、その板ばね部材３１全体を被包し、ＰＶＣ等の樹脂から構成される被包部材３２とを備えている。板ばね部材３１は、平板形状になるまで板ばね部材３１の長手方向両端を一の屈曲方向に反らせると、平板形状を維持可能に形成されると共に、一の屈曲方向と反対方向に反らせることで、渦巻状に湾屈する性質を備えている。また、装着部３が使用者の手首に巻きつく際の不快感を被包部材３２により低減させることができる。さらに、被包部材３２の一表面（一の屈曲方向と反対方向側の表面）には再帰反射性を有する蛍光塗料で着色されたシートが被覆されている。なお、装着部３の寸法は、長手方向の長さが約２０ｃｍ、幅方向の長さが約４ｃｍ程度のものが好ましい。これにより、様々な太さの手首に対しても装着部３を確実に巻きつき固定させることができる。なお、装着部３の寸法はこれらに限られるものではない。
【００４７】
次に、図３を参照して、リモコン部１０２をリモコン保持器１に装着する方法について説明する。図３（ａ）はリモコン部１０２装着時におけるリモコン保持器１の上面図であり、図３（ｂ）はリモコン部１０２装着時におけるリモコン保持器１の正面図である。なお、図３（ａ）では、コード１０３の記載を一部省略して記載している。図４においても同様である。
【００４８】
マッサージ器１００は、マッサージ機能を有する本体部１０１（図４参照）と、その本体部を制御するリモコン部１０２と、本体部１０１とリモコン部１０２とを接続するコード１０３とを備えている。なお、本体部１０１の有するマッサージ機能とは、本体部１０１を振動させつつ、人体の任意の部分に当接させてマッサージを行う機能であり、リモコン部１０２が有する調節部１０２ａを時計回り又は反時計回りに回転させることで振動スピードを変更することができる。
【００４９】
リモコン部１０２を装着する際、第２保持部材２３を第１保持部材２２と離反する方向へ摺動させつつ、リモコン部１０２を第１保持部材２２と第２保持部材２３との間の挟入させる。このとき、第２保持部材２３は付勢部材２５（図２参照）により第１保持部材２２方向に近接する方向へ付勢されるので、リモコン部１０２を第１保持部材２２及び第２保持部材２３により挟持固定させることができる。よって、他にリモコン部１０２をリモコン保持器１に固定させるための手順は不要なので、容易にリモコン部１０２をリモコン保持器１に装着することができ、例えば、リモコン部１０２を装着せずに、先に右手首にリモコン保持器１を装着した場合であっても、装着したまま左手のみで容易にリモコン部１０２をリモコン保持器１に装着することができる。
【００５０】
リモコン保持器１は、手に持ちやすくするために丸みを帯びた物も多く、大きさや形状も様々であるため、リモコン保持器１と当接する部分が硬質であると、リモコン部１０２を確実に挟持固定することは困難である。
【００５１】
しかし、図３に示すように、本実施の形態では、第１当接部材２４ａ及び第２保持部材２４ｂ，２４ｃがリモコン保持器１に当接するので、リモコン部１０２を挟持する際、第１当接部材２４ａ及び第２保持部材２４ｂ，２４ｃは、リモコン部１０２の形状に応じて変形しつつ、より広い面積でリモコン部１０２に当接することができ、より確実にリモコン部１０２を固定することができる。また、リモコン部１０２をリモコン保持器１に装着する際、付勢部材２５の付勢により第２保持部材２３がリモコン部１０２に強く衝突した場合でも、第１当接部材２４ａがその衝撃を吸収することで、リモコン部１０２及び第２保持部材２３の損傷を防止することができる。
【００５２】
次に図４を参照して、リモコン保持器１の使用方法について説明する。図４は、リモコン保持器１が手首に装着された際におけるリモコン保持部１の斜視図である。
【００５３】
使用者は、手首にリモコン保持器１を装着する際、装着部３が平板形状を維持している状態で、土台部２１の下方側を手首に向け、勢いをつけながら手首に当接させる。これにより、クッション材２６（図３（ｂ）参照）は当接されている手首の形状に応じて変形する。よって、クッション材２６は手首とより広い面積で当接することができるので、よりリモコン保持器１を手首に確実に固定することができる。
【００５４】
さらに、クッション材２６が手首の形状に応じて変形すると、勢いをつけて当接させたことにより装着部３はクッション材２６を介して手首に押圧されるため、屈曲方向に反らされ、渦巻状に湾屈して手首に巻きつくことでリモコン保持器１は手首に固定される。よって、容易かつ素早くリモコン保持器１を手首に装着することができる。なお、手首への装着方法は上記方法に限られず、手首に土台部２１の下方を当接させた後に、手で装着部３を屈曲方向に押圧させてもよい。
【００５５】
また、装着部３は、板ばね部材３１（図２（ｂ）参照）の付勢力を利用して手首に巻きつき固定されているので、手首の太さに応じて湾屈量を変位させることができる。そのため、手首の太さに合わせて調整し、巻きつき固定させるための留め具等を設ける必要がない。よって、リモコン保持器１を手首から素早く着脱できると共に、製造コストを削減することができる。
【００５６】
図４に示すように、本考案の実施の形態では、装着部３を備えているので、手首に装着することができる。よって、一方の手で本体部１０１を使用しながら、他方の手でリモコン部１０２を握持せずに自由に愛撫等のマッサージをすることができ、部屋の照明を消している場合でも、振動速度を変更したい時には、即座にリモコン部１０２を操作できる。また、寝返りをうった際に背中等でリモコン部１０２を潰して、使用者やその相手に怪我を負わせたり、リモコン部１０２を損傷させたりすることを防止できる。
【００５７】
図４に示すように、使用者が右手首にリモコン保持器１を装着しつつ、右手で本体部１０１を使用することができるので、コード１０３を予め束ねるなどしておけば、マッサージ中に、コード１０３がまわりの物に引っかかったりなどして邪魔になることを防止することができる。さらに、本体部１０１を持ちながらマッサージする場所を変更したり、体勢を変更しても、リモコン部１０２は本体部１０１と同じ距離を保ちながら移動することができるので、本体部１０１でリモコン部１０２を引っ張ることによるコード１０３の損傷を防止することができる。
【００５８】
また、被包部材３２の一表面（屈曲方向と反対方向）は再帰反射性を有する蛍光塗料で着色されたシートを被覆しているので、例えば、先に照明を消してからリモコン保持器１を装着しようとする場合であっても、すぐにリモコン保持器１を見つけることができる。
【００５９】
次に、図５を参照して、第２実施の形態について説明する。図５（ａ）は、第２実施の形態におけるリモコン保持器２０１の上面図であり、図５（ｂ）は、図５（ａ）Ｖｂ−Ｖｂ線におけるリモコン保持器２０１の断面図である。以下、第１実施の形態と同一の部分には同一の符号を付してその説明は省略する。
【００６０】
第１実施の形態では、第２保持部材２３は付勢部材２５により第１保持部材２２に近接する方向へ付勢されることで、リモコン部１０２を第１保持部材２２及び第２保持部材２３により挟持固定させるのに対し、第２実施の形態では、土台部２２１に摺動可能に係合された第２保持部材２２３を摺動させることで、リモコン部１０２を第１保持部材２２及び第２保持部材２２３により挟持固定させる構成となっている。
【００６１】
図５（ａ）又は図５（ｂ）に示すように、土台部２２１の上面には、第１対向面２２ａ１にむけて開口したＵ字状の切り込みであるスリット２２１ｃが形成され、そのスリット２２１ｃによって包囲された部分である調整部２２１ｄには、レール２１ａに対して垂直に形成された複数のＶ字状の溝からなる係合部２２１ｅが形成されている。また、第２保持部材２２３の下面にはレール２１ａに対して垂直に形成された複数のＶ字状の溝からなるストッパ２２３ｄを備えている。なお、第２保持部材２２３は、ストッパ２２３ｄを備えている点を除き、第１実施の形態にける第２保持部材２３と同様の構成となっている。
よって、第２保持部材２２３は、レール２１ａに摺動可能に保持されつつ、係合部２２１ｅに係合されている。
【００６２】
リモコン部１０２をリモコン保持器２０１に保持固定する際は、リモコン部１０２の形状に応じて第２保持部材２２３を摺動させながら、リモコン部１０２を第１保持部材２２と第２保持部材２２３との間に挟持固定させる。なお、調整部２２１ｄの周囲にＵ字状のスリット２２１ｃが形成されているので、調整部２２３ｄを指などで押圧することで下方へ押し下げることができる。これにより、調整部２２１ｄとストッパ２２３ｄとの係合が解除され、容易に第２保持部材２２３を摺動させることができる。また、調整部２２３ｄへの押圧を止めることで、押し下げられた調節部２２１ｄが弾性によりもとの位置まで上昇し、再びストッパ２２３ｄを係合部２２１ｅに係合させることができる。従って、容易かつ確実にリモコン部１０２をリモコン保持器２０１に固定できる。
【００６３】
また、第１対向面２２ａ１に向けて開口したＵ字状のスリット２２１ｃが調整部２２１ｄの周囲に形成されているので、調整部２２１ｄの第２保持部材２２３側を押圧することで調整部２２１ｄを押し下げやすくなっているので、例えば、リモコン部１０２がリモコン部２０１に挟持されている状態からリモコン部１０２を取り外す際に、他の方向にむけて開口している場合に比べて、より容易に調整部２２１ｄを押し下げることができ、リモコン部１０２をリモコン保持器２０１から取り外すことができる。
【００６４】
次に、図６を参照して、第３実施の形態について説明する。図６（ａ）は、第３実施の形態におけるリモコン部１０２装着時のリモコン保持器３０１の上面図であり、図６（ｂ）は、図６（ａ）のＶＩｂ−ＶＩｂ線におけるリモコン部１０２装着時のリモコン保持器３０１の断面図である。なお、図６（ａ）では、リモコン保持器３０１のみを断面視して図示する。以下、第１実施の形態と同一の部分には同一の符号を付してその説明は省略する。
【００６５】
第１実施の形態では、リモコン部１０２を第１保持部材２２及び第２保持部材２３の間に挟持固定する場合を説明したが、第３実施の形態では、ゴム状の弾性体で構成された緊締部材３２２の弾性により、リモコン部１０２が土台部３２１に締め付け固定される。
【００６６】
図６（ｂ）に示すように、土台部３２１は、一側面からその一側面に対向する側面に（図６（ｂ）左側面から右側面に）向けて貫通形成された挿通孔３２１ａを備えており、その挿通孔３２１ａには無端状に形成された緊締部材３２２の一部が貫設されている。なお、第２当接部材３２４ｂは、上記第２当接部材２４ｂ，２４ｃと大きさは異なるが、その他の構成は同じものである。
【００６７】
リモコン部１０２をリモコン保持器３０１に保持固定する際は、緊締部材３２２を引っ張りつつ、土台部３２１と緊締部材３２２との間にリモコン部１０２挿入する。これにより、緊締部材３２２の弾性によりリモコン部１０２は土台部３２１に締め付けられるので、リモコン部１０２をリモコン保持器３０１に容易かつ確実に固定することができる。
【００６８】
また、土台部３２１に緊締部材３２２を貫設する構成なので、土台部３２１を小型化および軽量化することができ、装着時における使用者への負担を減らすことができる。さらにリモコン保持器３０１を製造する際の作業工数や部品数を少なくできるので、製造コストを削減することができる
以上、各実施の形態に基づき本考案を説明したが、本考案は上記形態に何ら限定されるものではなく、本考案の趣旨を逸脱しない範囲内で種々の変形改良が可能であることは容易に推察できるものである。
【００６９】
例えば、第１実施および第２実施の形態では、第１保持部材２２が土台部２１，２２１に固着され、第２保持部材２３，２２３が土台部２１，２２１に摺動可能に保持される場合を説明したが、必ずしもこれに限られるものではなく、第１保持部材２２が第２保持部材２３，２２３と同様に構成されることにより、土台部２１，２２１に摺動可能に保持されてもよい。また、第２持部材２３，２２３が第１保持部材２２と共に土台部２１，２２１に固着されていてもよい。第１保持部材２２及び第２保持部材２３，２２３が摺動可能であれば、リモコン部１０２を装着する作業がさらに容易となり、第１保持部材２２及び第２保持部材２３，２２３が所定の間隔を確保しつつ固着され、第１保持部材２２及び第２保持部材２３，２２３の有する弾性によりリモコン部１０２を挟持することで、より確実にリモコン部１０２を固定することができる。
【００７０】
上記各実施の形態では、第１当接部材２４ａ及び第２当接部材２４ｂ，２４ｃ，３２４ｂがシリコンゴム製である場合を説明したが、必ずしもこれに限られるものではなく、スポンジやウレタンを使用してもよい。また、第１実施の形態では、付勢部材２５がコイルばねである場合を説明したが、必ずしもこれに限られるものではなく、板ばねやゴムを使用してもよい。さらに、第１実施の形態では、付勢部材２５が、一端が規制部２３ｃに接続されると共に他端が内室２１ｂの第１保持部材２２が配設される側の側壁（図２（ａ）左側）に接続されている場合を説明したが、必ずしもこれに限られるものではなく、他端が内室２１ｂの第２保持部材２３が配設される側の側壁（図２（ａ）右側）に接続されていてもよい。
【００７１】
第３実施の形態では、土台部３２１は、一側面からその一側面に対向する側面に向けて貫通形成された挿通孔３２１ａを備えており、その挿通孔３２１ａには無端状に形成された緊締部材３２２が貫設されている場合を説明したが、必ずしもこれに限られるものではなく、緊締部材３２２が帯状に形成され、その緊締部材３２２の両端部が土台部３２１の一側面およびその一側面に対向する側面にそれぞれ接続されていてもよい。また、緊締部材３２２が、土台部３２１の一側面に接続されるものと、その一側面に対向する側面に接続されるものとの２つの部材から構成され、その２つの部材を連結させつつ、リモコン部１０２を土台部３２１に締め付けする構成であってもよい。さらに、緊締部材３２２は様々な装飾（例えば、バックルの装着、エナメル素材の被覆）が施されているものであってもよい。
【００７２】
上記各実施の形態では、板ばね部材３１が金属製である場合を説明したが、必ずしもこれに限られるものではなく、プラスチック製であってもよい。また、装着部３が板ばね部材３１を備え、その板ばね部材３１が渦巻状に湾屈する付勢する力を利用して手首に固定する場合を説明したが、必ずしもこれに限られるものではなく、例えば、装着部３が湾屈可能な革製や樹脂製から構成され、留め具や面ファスナーにより手首に固定される構成であってもよい。
【００７３】
また、上記各実施の形態では、被包部材３２の一表面は再帰反射性を有する蛍光塗料で着色されたシートを被覆している場合を説明したが、必ずしもこれに限られるものではなく、様々なデザインを施したシートを被覆してもよい。さらに、上記各実施の形態では、装着部３を手首に巻きつき固定する場合を説明したが、必ずしもこれに限られるものではなく、腕等の人体に巻きつき固定するものであればよい。
【符号の説明】
【００７４】
１，２０１                      リモコン保持器
２，２０２                      保持部
２１，２２１，３２１            土台部
２１ａ                          レール
２２１ｃ                        スリット
２２１ｄ                        調整部
２２１ｅ                        係合部
２２                            第１保持部材
２２ａ１                        第１対向面
２３，２２３                    第２保持部材
２３ａ                          挟持部
２３ａ１                        第２対向面
２２３ｄ                        ストッパ
２４ａ                          第１当接部材
２４ｂ，２４ｃ，３２４ｃ        第２当接部材
２５                            付勢部材
２６                            クッション材
３                              装着部
３１                            板ばね部材
３２                            被包部材
１００                          マッサージ器
１０１                          本体部
１０２                          リモコン部
３２２                          緊締部材
【図１】
0003152135.tif 000003
【図２】
0003152135.tif 000004
【図３】
0003152135.tif 000005
【図４】
0003152135.tif 000006
【図５】
0003152135.tif 000007
【図６】
0003152135.tif 000008
【手続補正書】
【提出日】平成21年5月12日(2009.5.12)
【手続補正１】
【補正対象書類名】明細書
【補正対象項目名】全文
【補正方法】変更
【補正の内容】
【考案の詳細な説明】
【技術分野】
【０００１】
本考案は、リモコン保持器に関し、特に、マッサージ器を利用しつつ両手を自由に活用できると共に、必要時には即座にリモコンを操作できるリモコン保持器に関するものである。
【背景技術】
【０００２】
マッサージ器具としては、他種多様な器具が存在する。その中には、マッサージ機能を有する本体部とその本体部を制御するリモコン部を備えるマッサージ器が多数存在する（例えば、米国特許５５７３４９９号）。また、それらのマッサージ器の種類として、本体部を２つ備えているものや本体部の振動速度を多段階に調整できるものがある。
【先行技術文献】
【特許文献】
【０００３】
【特許文献１】米国特許第５５７３４９９号
【考案の概要】
【考案が解決しようとする課題】
【０００４】
マッサージ器の使用者が一方の手でリモコン部を握持し、他方の手で本体部を使用してマッサージを行う場合、両手が塞がってしまう。そのため、例えば、本体部が２つあるマッサージ器を使用してもその利点を十分に活用できず、また、特に、使用者が他人にマッサージを施す場合、使用者が一方の手で本体部を使用しながら他方の手で相手に愛撫等のマッサージをしようとしても、他方の手はリモコンを握持しているので、その手を自由に動かすことはできず、満足にマッサージを行うことができない。そこで、使用者は両手を使ってマッサージすべく、リモコン部を手に持たずにマッサージ器を使用することがある。
【０００５】
しかしながら、リモコン部を手に持たずに本体部を使用すると、本体部の振動速度を調整するなどのためにリモコン部を操作しようとしても、マッサージ中は照明を消している場合も多く、即座にリモコン部を見つけることができない。また、本体部とリモコン部とがコードで接続されている場合、本体部を使用しながら体勢を変えるなどして、無意識にリモコン部を本体部で引っ張ってしまうことでコードを損傷したり、コードがまわりの物に引っかかることでマッサージの邪魔になるなどの問題点がある。さらに、マッサージ器を寝ながら使用する場合も多く、寝返りをうった際に背中などでリモコン部を潰してしまい、使用者が怪我をしたり、リモコン部を破損させてしまうという問題点がある。
【０００６】
本考案は、上述した問題点を解決するためになされたものであり、両手を自由に活用可能としつつ、必要時には即座にリモコンを操作できると共に、使用時におけるマッサージ器の損傷を防止できるリモコン保持器を提供することを目的としている。
【課題を解決するための手段】
【０００７】
この目的を達成するために、請求項１記載のリモコン保持器は、マッサージ機能を有する本体部とその本体部を制御するリモコン部とを備えるマッサージ器の前記リモコン部を保持する保持部と、前記保持部に配設されると共に人体に巻き付き可能に構成される装着部とを備えている。
【０００８】
請求項２記載のリモコン保持器は、請求項１記載のリモコン保持器において、前記保持部は、前記リモコン部を下方から支持する土台部と、弾性体から構成されると共に両端が前記土台部に接続される帯状の緊締部材とを備えている。
【０００９】
請求項３記載のリモコン保持器は、請求項１記載のリモコン保持器において、前記保持部は、前記土台部と、その土台部に立設される第１保持部材と、その第１保持部材に対向して配設される第２保持部材とを備えている。
【００１０】
請求項４記載のリモコン保持器は、請求項３記載のリモコン保持器において、前記保持部は、第１保持部材および第２保持部材のうち少なくとも前記第２保持部材が前記第１保持部材に対して接近および離反可能に構成されている。
【００１１】
請求項５記載のリモコン保持器は、請求項４記載のリモコン保持器において、前記保持部は、第１保持部材および第２保持部材のうち少なくとも前記第２保持部材を前記第１保持部材へ向けて付勢する付勢部材を備えている。
【００１２】
請求項６記載のリモコン保持器は、請求項４又は５に記載のリモコン保持器において、前記土台部は、Ｕ字状に切り込まれたスリットと、前記スリットに包囲され前記第２保持部材の移動を規制する調整部とを備えると共に、箱状に形成され、前記調整部は、前記第２保持部材が前記第１保持部材に対して接近および離反する方向に沿って少なくとも２つ形成される係合部を備え、前記第１保持部材および前記第２保持部材のうち少なくとも前記第２保持部材は、前記係合部に係合するストッパを備え、前記係合部と前記ストッパとが係合することにより少なくとも第２保持部材の移動が規制されている。
【００１３】
請求項７記載のリモコン保持器は、請求項４から６のいずれかに記載のリモコン保持器において、前記第１保持部材および前記第２保持部材は、互いに対向して配設され平面状に形成される対向面を備え、前記保持部は、第１保持部材および第２保持部材のうち少なくとも前記第２保持部材を仮想直線に沿って移動可能に案内するレールを備えると共に、前記対向面は、前記仮想直線に対して垂直に構成されている。
【００１４】
請求項８記載のリモコン保持器は、請求項７記載のリモコン保持器において、前記第１保持部材および前記第２保持部材は、前記対向面に配設されると共に弾性体から構成される当接部材を備えている。
【００１５】
請求項９記載のリモコン保持器は、請求項１から８のいずれかに記載のリモコン保持器において、前記土台部は、上面側に配設されると共に弾性体から構成される第２当接部材を備えている。
【００１６】
請求項１０記載のリモコン保持器は、請求項１から９のいずれかに記載のリモコン保持器において、前記装着部は、平板状の板ばねとして形成される板ばね部材と、その板ばね部材を被包する被包部材とを備え、前記板ばね部材は、前記板ばね部材の長手方向両端を一の屈曲方向に反らせることで平板形状を維持可能に形成されると共に、前記一の屈曲方向と反対方向に反らせることで前記板ばね部材の有する付勢力により渦巻状に湾屈可能に形成される。
【００１７】
請求項１１記載のリモコン保持器は、請求項１から１０のいずれかに記載のリモコン保持器において、前記保持部は、弾性体からなるクッション材を備え、前記装着部が前記クッション材に貫設されている。
【考案の効果】
【００１８】
請求項１記載のリモコン保持器によれば、リモコン部を保持する保持部と、保持部に配設されると共に人体に巻き付き可能に構成される装着部とを備えている。よって、リモコン部を手首や腕等に巻きつけ固定することができる。よって、両手をマッサージに活用できるばかりでなく、必要時には即座にリモコン部を操作することができるという効果がある。
【００１９】
また、例えば、マッサージ保持器を右手首に装着しながら右手で本体部を所持することができるので、本体部とリモコン部とがコードで接続されていても、使用時にコードがまわりの物に引っかかるなどによりコードが邪魔になることを防止できる。さらに、コードにゆとりを持たせることができ、本体部でリモコン部を引っ張ることによるコードの損傷を防ぐことができるという効果がある。
【００２０】
請求項２記載のリモコン保持器によれば、請求項１記載のリモコン保持器の奏する効果に加え、保持部が、リモコン部を下方から支持する土台部と、弾性体から構成されると共に両端が土台部に接続される帯状の緊締部材を備えている。よって、緊締部材の弾性により、リモコン部を土台部に容易かつ確実に固定することができるという効果がある。また、土台部を小型化および軽量化することができるので、装着時における使用者の負担を減らすことができるという効果がある。さらに、製造する際の作業工数や部品数が少ないため、製造コストを削減することができるという効果がある。
【００２１】
請求項３記載のリモコン保持器によれば、請求項１記載のリモコン保持器の奏する効果に加え、土台部と、その土台部に立設される第１保持部材と、その第１保持部材に対向して配設される第２保持部材とを備えているので、第１保持部材と第２保持部材との間にリモコン部を挟持固定させることができる。よって、リモコン部をリモコン保持器に着脱する作業を容易に行うことができるという効果がある。
【００２２】
請求項４記載のリモコン保持器によれば、請求項３記載のリモコン保持器の奏する効果に加え、第１保持部材および第２保持部材のうち少なくとも第２保持部材が第１保持部材に対して接近および離反可能に構成されているので、第１保持部材と第２保持部材との距離を調整することができる。よって、１つのリモコン保持器で、様々な形状のリモコン部を保持することができるという効果がある。
【００２３】
請求項５記載のリモコン保持器によれば、請求項４記載のリモコン保持器の奏する効果に加え、第１保持部材および第２保持部材のうち少なくとも第２保持部材を第１保持部材へ向けて付勢する付勢部材を備えているので、リモコン部をリモコン保持器に装着する際、第１保持部材と第２保持部材との間にリモコン部を挟入すると、リモコン部は付勢部材の付勢により挟持固定させることができる。よって、より容易かつ確実にリモコン部をリモコン保持器に固定することができるという効果がある。
【００２４】
請求項６記載のリモコン保持器によれば、請求項４又は５に記載のリモコン保持器の奏する効果に加え、土台部が少なくとも２つ形成される係合部を備え、第１保持部材および第２保持部材のうち少なくとも第２保持部材はストッパを備え、係合部とストッパとが係合することにより少なくとも第２保持部材の移動が規制されているので、リモコン部の形状に合わせて第２保持部材を第１保持部材から近接または離反する方向に移動させ、第１保持部材と第２保持部材との間にリモコン部を挟入し、ストッパにより第２保持部材を係合部に係合させることで、リモコン部を挟持固定することができる。よって、容易かつ確実にリモコン部をリモコン保持器に固定することができる。
【００２５】
さらに、Ｕ字状に切りこまれたスリットに包囲される調整部が係合部を備えているので、第２保持部材を移動させる際に、調整部を押圧することで下方へ押し下げることができる。よって、調整部とストッパとの係合が解除され、容易に第２保持部材を移動させることができる。また、調整部への押圧を止めることで、押し下げられた調節部が弾性によりもとの位置まで上昇し、再びストッパに係合部を係合させることができる。これにより、容易かつ確実にリモコン部をリモコン保持器に固定できる。
【００２６】
請求項７記載のリモコン保持器によれば、請求項４から６のいずれかに記載のリモコン保持器の奏する効果に加え、第１保持部材および第２保持部材は、互いに対向して配設され平面状に形成される対向面を備え、保持部は、第１保持部材および第２保持部材のうち少なくとも第２保持部材を仮想直線に沿って移動可能に案内するレールを備えると共に、対向面は、仮想直線に対して垂直に構成されているので、リモコン部を第１保持部材と第２保持部材とで挟持する際、リモコン部の形状に関わらず、平面状に形成される対向面の向きを平行に保ちながら、リモコン部の両側面に第１保持部材および第２保持部材を当接させることができる。よって、リモコン部をより安定的に挟持固定することができるという効果がある。
【００２７】
請求項８記載のリモコン保持器によれば、請求項７記載のリモコン保持器の奏する効果に加え、第１保持部材および前記第２保持部材は、対向面に配設されると共に弾性体から構成される第１当接部材を備えているので、第１保持部材と第２保持部材とによりリモコン部を挟持固定する際、第１当接部材をリモコン部の形状に応じて変形させながらリモコン部に当接させることができる。よって、リモコン部により広い面積で当接することができ、リモコン保持器にリモコン部をより確実に固定させることができるという効果がある。
【００２８】
請求項９記載のリモコン保持器によれば、請求項１から８のいずれかに記載のリモコン保持器の奏する効果に加え、土台部の上面側に第２当接部材を備えているので、第２当接部材をリモコン部の形状に応じて変形させながらリモコン部に当接させることができる。よって、リモコン部により広い面積で当接することができ、リモコン保持器にリモコン部をより確実に固定させることができるという効果がある。
【００２９】
請求項１０記載のリモコン保持器によれば、請求項１から９のいずれかに記載のリモコン保持器の奏する効果に加え、装着部は、平板状の板ばねとして形成される板ばね部材と、その板ばね部材を被包する被包部材とを備え、板ばね部材は、板ばね部材の長手方向両端を一の屈曲方向に反らせることで平板形状を維持可能に形成されると共に、一の屈曲方向と反対方向に反らせることで板ばね部材の有する付勢力により渦巻状に湾屈可能に形成されるので、リモコン保持器を人体に着脱する作業をより容易に行うことができるという効果がある。
【００３０】
さらに、装着部は手首等の太さに応じて巻きつく際の湾屈量を変位させることができるため、装着する度に装着部の長さ調整をする必要がなく、リモコン保持器を人体により素早く装着することができるという効果がある。
【００３１】
請求項１１記載のリモコン保持器によれば、請求項１から１０のいずれかに記載のリモコン保持器の奏する効果に加え、保持部は、弾性体からなるクッション材を備えているので、リモコン保持器を人体に装着する際、クッション材を人体の形状に合わせて適合させることができる。よって、リモコン保持器を装着した際の不快感を低減させることができるという効果がある。また、リモコン保持器を手首等に装着しながらマッサージをしても、リモコン保持器をガタつかせず、人体にしっかり固定させることができるという効果がある。
【００３２】
さらに、装着部がクッション材に貫設されているため、一の屈曲方向に反らされたことにより平板形状を維持している装着部を手首等の人体に向けて勢いよく当接させると、クッション材は人体の形状に応じて変形すると共に、当接の衝撃により人体がクッション材を介して装着部を一の屈曲方向とは反対方向に押圧することができる。これにより、装着部を一の屈曲方向と反対の方向に反らして、人体に巻きつかせることでリモコン保持器が人体に固定されるので、より容易にかつ素早くリモコン保持器を人体に装着することができるという効果がある。
【図面の簡単な説明】
【００３３】
【図１】本考案の第１実施の形態におけるリモコン保持器の上面図であり、（ａ）はリモコン保持器の上面図であり、（ｂ）はリモコン保持器の正面図である。
【図２】（ａ）は図１（ａ）のＩＩａ−ＩＩａ線におけるリモコン保持器の断面図であり、（ｂ）は図１（ａ）のＩＩｂ−ＩＩｂ線におけるリモコン保持器の断面図であり、（ｃ）は、図２（ｂ）のＩＩｃ部分におけるリモコン保持器の拡大断面図である。
【図３】（ａ）はリモコン部装着時におけるリモコン保持器の上面図であり、（ｂ）はリモコン部装着時におけるリモコン保持器の正面図である。
【図４】リモコン保持器が手首に装着された際におけるリモコン保持部の斜視図である。
【図５】（ａ）は第２実施の形態におけるリモコン保持器の上面図であり、（ｂ）はＶｂ−Ｖｂ線におけるリモコン保持器の断面図である。
【図６】（ａ）は第３実施の形態におけるリモコン部装着時のリモコン保持器の上面図であり、（ｂ）は図６（ａ）のＶＩｂ−ＶＩｂ線におけるリモコン部装着時のリモコン保持器の断面図である。
【考案を実施するための形態】
【００３４】
以下、本考案の好ましい実施の形態について、添付図面を参照して説明する。図１（ａ）は、本考案の第１実施の形態におけるリモコン保持器１の上面図であり、図１（ｂ）は、リモコン保持器１の正面図である。なお、図１では、装着部３の長手方向（図１左右方向）の記載を一部省略して記載している。図２及び図３についても同様である。
【００３５】
まず、図１を参照して、リモコン保持器１の概略構成について説明する。リモコン保持器１は、マッサージ機能を有する本体部１０１とその本体部１０１を制御するリモコン部１０２とを備えるマッサージ器１００（図４参照）のリモコン部１０２を保持すると共に手首に巻きつけ固定するための器具であり、リモコン部１０２を保持固定する保持部２と、保持部２を手首に巻きつき固定する装着部３とを備えている。
【００３６】
保持部２は、図１（ａ）及び図１（ｂ）に示すように、リモコン部１０２を下方から支持する箱状の土台部２１と、互いに対向して配置される第１保持部材２２及び第２保持部材２３とを主に備えている。土台部２１の上面には溝状のレール２１ａが２本平行に形成され、第２保持部材２３は、レール２１ａに案内されつつ摺動可能に保持されている。装着部３は、保持部２の下方に配設され、保持部２と反対方向へ湾屈可能に構成されている。
【００３７】
次に、図２を参照して、リモコン保持器１の詳細構成について説明する。図２（ａ）は図１（ａ）のＩＩａ−ＩＩａ線におけるリモコン保持器１の断面図であり、図２（ｂ）は図１（ａ）のＩＩｂ−ＩＩｂ線におけるリモコン保持器１の断面図であり、図２（ｃ）は、図２（ｂ）のＩＩｃ部分におけるリモコン保持器１の拡大断面図である。
【００３８】
図２（ａ）及び図２（ｂ）に示すように、土台部２１の内部に直方体形状の空間である内室２１ｂが形成されており、レール２１ａは、土台部２１の上面側から内室２１ｂまで貫通して形成されている。
【００３９】
第１保持部材２２は、矩形状の平面である第１対向面２２ａ１を備える平板状の部材であり、第２保持部材２３と対向しつつ第１対向面２２ａ１がレール２１ａと平行な仮想直線Ｌに対して垂直になるように土台部２１の上面に固着されている。なお、仮想直線Ｌは、レール２１ａ長手方向と平行で土台部２１の上面からの高さが一定である仮想線である。なお、第１対向面２２ａ１及び第２対向面２３ａ１の高さ方向（図２（ｂ）上下方向）の長さが約３ｃｍ、幅方向（図２（ｂ）左右方向）の長さが約１０ｃｍであることが好ましい。これにより、リモコン保持器１全体の大きさをコンパクトにしつつ、リモコン部１０２の側面部分を確実に固定することができる。
【００４０】
第２保持部材２３は、矩形状の平面である第２対向面２３ａ１を備える平板状の挟持部２３ａと、レール２１ａに対応する位置に、挟持部２３ａの下面に凸設して形成される棒状のスライド部２３ｂと、そのスライド部２３ｂの下端にフランジ状に形成される規制部２３ｃとを備え、図１（ａ）に示すように、第１保持部材２２と対向しつつ第２対向面２３ａ１が仮想直線Ｌに対して垂直になるように土台部２１の上面に配設されている。
【００４１】
図２（ｂ）に示すように、スライド部２３ｂは、幅方向（図２（ｂ）左右方向）の長さがレール２１ａの幅方向（図２（ｂ）左右方向）の長さより短く形成されると共に、レール２１ａ内に配設されている。また、規制部２３ｃは、幅方向（図２（ｂ）左右方向）の長さがレール２１ａの幅方向の長さより長く形成されつつ、内室２１ｂの上下方向（図２（ｂ）上下方向）の長さより短く形成されると共に、内室２１ｂ内に配設されている。
【００４２】
これにより、スライド部２３ｂにより幅方向への移動が規制されると共に規制部２３ｃにより上下方向の移動が規制されるので、第２保持部材２３を、仮想直線Ｌ方向にのみ摺動させることができる。また、第２保持部材２３を摺動させても第２対向面２３ａ１が第１対向面２２ａ１と対向している状態を保持することができる。
【００４３】
図２（ａ）に示すように、第１対向面２２ａ１及び第２対向面２３ａ１にはシリコンゴム等の弾性体から構成される第１当接部材２４ａが接着されている。よって、リモコン部１０２を挟持する際に、第１当接部材２４ａをリモコン部１０２に当接させることができる。同様に、土台部２１の上面側のうち、２本のレール２１ａに挟まれる部分と、その２本のレール２１ａに挟まれた部分のレール２１ａを介した両側の部分には、シリコンゴム等の弾性体から構成される第２当接部材２４ｂ，２４ｃが接着されている。
【００４４】
図２（ａ）に示すように、内室２１ｂには、コイルばねで構成される付勢部材２５が、伸縮方法が仮想直線Ｌと平行になるように配設され、一端が規制部２３ｃに接続されると共に他端が内室２１ｂの第１保持部材２２が配設される側の側壁（図２（ａ）左側）に接続されている。なお、図２（ａ）における第２保持部材２３は付勢部材２５によって第１保持部材２２に近接する方向へ付勢され、レール２１ａによって係止されている。また、第２保持部材２３を第１保持部材２２から離反する方向へ摺動させることで、第２保持部材２３は第１保持部材２２へ接近する方向へ付勢される。
【００４５】
土台部２１の下方には、不織布やウレタン等の弾性体から構成されるクッション材２６
が配設され、表面はＰＶＣ等の樹脂や綿などで覆われている。
【００４６】
装着部３は、渦巻状に湾屈する付勢力を有するように成形した薄板状の弾性体であり、図２（ｃ）に示すように、スチールやステンレス等の金属から構成される板ばね部材３１と、その板ばね部材３１全体を被包し、ＰＶＣ等の樹脂から構成される被包部材３２とを備えている。板ばね部材３１は、平板形状になるまで板ばね部材３１の長手方向両端を一の屈曲方向に反らせると、平板形状を維持可能に形成されると共に、一の屈曲方向と反対方向に反らせることで、渦巻状に湾屈する性質を備えている。また、装着部３が使用者の手首に巻きつく際の不快感を被包部材３２により低減させることができる。さらに、被包部材３２の一表面（一の屈曲方向と反対方向側の表面）には再帰反射性を有する蛍光塗料で着色されたシートが被覆されている。なお、装着部３の寸法は、長手方向の長さが約２０ｃｍ、幅方向の長さが約４ｃｍ程度のものが好ましい。これにより、様々な太さの手首に対しても装着部３を確実に巻きつき固定させることができる。なお、装着部３の寸法はこれらに限られるものではない。
【００４７】
次に、図３を参照して、リモコン部１０２をリモコン保持器１に装着する方法について説明する。図３（ａ）はリモコン部１０２装着時におけるリモコン保持器１の上面図であり、図３（ｂ）はリモコン部１０２装着時におけるリモコン保持器１の正面図である。なお、図３（ａ）では、コード１０３の記載を一部省略して記載している。図４においても同様である。
【００４８】
マッサージ器１００は、マッサージ機能を有する本体部１０１（図４参照）と、その本体部を制御するリモコン部１０２と、本体部１０１とリモコン部１０２とを接続するコード１０３とを備えている。なお、本体部１０１の有するマッサージ機能とは、本体部１０１を振動させつつ、人体の任意の部分に当接させてマッサージを行う機能であり、リモコン部１０２が有する調節部１０２ａを時計回り又は反時計回りに回転させることで振動スピードを変更することができる。
【００４９】
リモコン部１０２を装着する際、第２保持部材２３を第１保持部材２２と離反する方向へ摺動させつつ、リモコン部１０２を第１保持部材２２と第２保持部材２３との間の挟入させる。このとき、第２保持部材２３は付勢部材２５（図２参照）により第１保持部材２２方向に近接する方向へ付勢されるので、リモコン部１０２を第１保持部材２２及び第２保持部材２３により挟持固定させることができる。よって、他にリモコン部１０２をリモコン保持器１に固定させるための手順は不要なので、容易にリモコン部１０２をリモコン保持器１に装着することができ、例えば、リモコン部１０２を装着せずに、先に右手首にリモコン保持器１を装着した場合であっても、装着したまま左手のみで容易にリモコン部１０２をリモコン保持器１に装着することができる。
【００５０】
リモコン保持器１は、手に持ちやすくするために丸みを帯びた物も多く、大きさや形状も様々であるため、リモコン保持器１と当接する部分が硬質であると、リモコン部１０２を確実に挟持固定することは困難である。
【００５１】
しかし、図３に示すように、本実施の形態では、第１当接部材２４ａ及び第２保持部材２４ｂ，２４ｃがリモコン保持器１に当接するので、リモコン部１０２を挟持する際、第１当接部材２４ａ及び第２保持部材２４ｂ，２４ｃは、リモコン部１０２の形状に応じて変形しつつ、より広い面積でリモコン部１０２に当接することができ、より確実にリモコン部１０２を固定することができる。また、リモコン部１０２をリモコン保持器１に装着する際、付勢部材２５の付勢により第２保持部材２３がリモコン部１０２に強く衝突した場合でも、第１当接部材２４ａがその衝撃を吸収することで、リモコン部１０２及び第２保持部材２３の損傷を防止することができる。
【００５２】
次に図４を参照して、リモコン保持器１の使用方法について説明する。図４は、リモコン保持器１が手首に装着された際におけるリモコン保持部１の斜視図である。
【００５３】
使用者は、手首にリモコン保持器１を装着する際、装着部３が平板形状を維持している状態で、土台部２１の下方側を手首に向け、勢いをつけながら手首に当接させる。これにより、クッション材２６（図３（ｂ）参照）は当接されている手首の形状に応じて変形する。よって、クッション材２６は手首とより広い面積で当接することができるので、よりリモコン保持器１を手首に確実に固定することができる。
【００５４】
さらに、クッション材２６が手首の形状に応じて変形すると、勢いをつけて当接させたことにより装着部３はクッション材２６を介して手首に押圧されるため、屈曲方向に反らされ、渦巻状に湾屈して手首に巻きつくことでリモコン保持器１は手首に固定される。よって、容易かつ素早くリモコン保持器１を手首に装着することができる。なお、手首への装着方法は上記方法に限られず、手首に土台部２１の下方を当接させた後に、手で装着部３を屈曲方向に押圧させてもよい。
【００５５】
また、装着部３は、板ばね部材３１（図２（ｂ）参照）の付勢力を利用して手首に巻きつき固定されているので、手首の太さに応じて湾屈量を変位させることができる。そのため、手首の太さに合わせて調整し、巻きつき固定させるための留め具等を設ける必要がない。よって、リモコン保持器１を手首から素早く着脱できると共に、製造コストを削減することができる。
【００５６】
図４に示すように、本考案の実施の形態では、装着部３を備えているので、手首に装着することができる。よって、一方の手で本体部１０１を使用しながら、他方の手でリモコン部１０２を握持せずに自由に愛撫等のマッサージをすることができ、部屋の照明を消している場合でも、振動速度を変更したい時には、即座にリモコン部１０２を操作できる。また、寝返りをうった際に背中等でリモコン部１０２を潰して、使用者やその相手に怪我を負わせたり、リモコン部１０２を損傷させたりすることを防止できる。
【００５７】
図４に示すように、使用者が右手首にリモコン保持器１を装着しつつ、右手で本体部１０１を使用することができるので、コード１０３を予め束ねるなどしておけば、マッサージ中に、コード１０３がまわりの物に引っかかったりなどして邪魔になることを防止することができる。さらに、本体部１０１を持ちながらマッサージする場所を変更したり、体勢を変更しても、リモコン部１０２は本体部１０１と同じ距離を保ちながら移動することができるので、本体部１０１でリモコン部１０２を引っ張ることによるコード１０３の損傷を防止することができる。
【００５８】
また、被包部材３２の一表面（屈曲方向と反対方向）は再帰反射性を有する蛍光塗料で着色されたシートを被覆しているので、例えば、先に照明を消してからリモコン保持器１を装着しようとする場合であっても、すぐにリモコン保持器１を見つけることができる。
【００５９】
次に、図５を参照して、第２実施の形態について説明する。図５（ａ）は、第２実施の形態におけるリモコン保持器２０１の上面図であり、図５（ｂ）は、図５（ａ）Ｖｂ−Ｖｂ線におけるリモコン保持器２０１の断面図である。以下、第１実施の形態と同一の部分には同一の符号を付してその説明は省略する。
【００６０】
第１実施の形態では、第２保持部材２３は付勢部材２５により第１保持部材２２に近接する方向へ付勢されることで、リモコン部１０２を第１保持部材２２及び第２保持部材２３により挟持固定させるのに対し、第２実施の形態では、土台部２２１に摺動可能に係合された第２保持部材２２３を摺動させることで、リモコン部１０２を第１保持部材２２及び第２保持部材２２３により挟持固定させる構成となっている。
【００６１】
図５（ａ）又は図５（ｂ）に示すように、土台部２２１の上面には、第１対向面２２ａ１にむけて開口したＵ字状の切り込みであるスリット２２１ｃが形成され、そのスリット２２１ｃによって包囲された部分である調整部２２１ｄには、レール２１ａに対して垂直に形成された複数のＶ字状の溝からなる係合部２２１ｅが形成されている。また、第２保持部材２２３の下面にはレール２１ａに対して垂直に形成された複数のＶ字状の溝からなるストッパ２２３ｄを備えている。なお、第２保持部材２２３は、ストッパ２２３ｄを備えている点を除き、第１実施の形態にける第２保持部材２３と同様の構成となっている。
よって、第２保持部材２２３は、レール２１ａに摺動可能に保持されつつ、係合部２２１ｅに係合されている。
【００６２】
リモコン部１０２をリモコン保持器２０１に保持固定する際は、リモコン部１０２の形状に応じて第２保持部材２２３を摺動させながら、リモコン部１０２を第１保持部材２２と第２保持部材２２３との間に挟持固定させる。なお、調整部２２１ｄの周囲にＵ字状のスリット２２１ｃが形成されているので、調整部２２３ｄを指などで押圧することで下方へ押し下げることができる。これにより、調整部２２１ｄとストッパ２２３ｄとの係合が解除され、容易に第２保持部材２２３を摺動させることができる。また、調整部２２３ｄへの押圧を止めることで、押し下げられた調節部２２１ｄが弾性によりもとの位置まで上昇し、再びストッパ２２３ｄを係合部２２１ｅに係合させることができる。従って、容易かつ確実にリモコン部１０２をリモコン保持器２０１に固定できる。
【００６３】
また、第１対向面２２ａ１に向けて開口したＵ字状のスリット２２１ｃが調整部２２１ｄの周囲に形成されているので、調整部２２１ｄの第２保持部材２２３側を押圧することで調整部２２１ｄを押し下げやすくなっているので、例えば、リモコン部１０２がリモコン部２０１に挟持されている状態からリモコン部１０２を取り外す際に、他の方向にむけて開口している場合に比べて、より容易に調整部２２１ｄを押し下げることができ、リモコン部１０２をリモコン保持器２０１から取り外すことができる。
【００６４】
次に、図６を参照して、第３実施の形態について説明する。図６（ａ）は、第３実施の形態におけるリモコン部１０２装着時のリモコン保持器３０１の上面図であり、図６（ｂ）は、図６（ａ）のＶＩｂ−ＶＩｂ線におけるリモコン部１０２装着時のリモコン保持器３０１の断面図である。なお、図６（ａ）では、リモコン保持器３０１のみを断面視して図示する。以下、第１実施の形態と同一の部分には同一の符号を付してその説明は省略する。
【００６５】
第１実施の形態では、リモコン部１０２を第１保持部材２２及び第２保持部材２３の間に挟持固定する場合を説明したが、第３実施の形態では、ゴム状の弾性体で構成された緊締部材３２２の弾性により、リモコン部１０２が土台部３２１に締め付け固定される。
【００６６】
図６（ｂ）に示すように、土台部３２１は、一側面からその一側面に対向する側面に（図６（ｂ）左側面から右側面に）向けて貫通形成された挿通孔３２１ａを備えており、その挿通孔３２１ａには無端状に形成された緊締部材３２２の一部が貫設されている。なお、第２当接部材３２４ｂは、上記第２当接部材２４ｂ，２４ｃと大きさは異なるが、その他の構成は同じものである。
【００６７】
リモコン部１０２をリモコン保持器３０１に保持固定する際は、緊締部材３２２を引っ張りつつ、土台部３２１と緊締部材３２２との間にリモコン部１０２挿入する。これにより、緊締部材３２２の弾性によりリモコン部１０２は土台部３２１に締め付けられるので、リモコン部１０２をリモコン保持器３０１に容易かつ確実に固定することができる。
【００６８】
また、土台部３２１に緊締部材３２２を貫設する構成なので、土台部３２１を小型化および軽量化することができ、装着時における使用者への負担を減らすことができる。さらにリモコン保持器３０１を製造する際の作業工数や部品数を少なくできるので、製造コストを削減することができる
以上、各実施の形態に基づき本考案を説明したが、本考案は上記形態に何ら限定されるものではなく、本考案の趣旨を逸脱しない範囲内で種々の変形改良が可能であることは容易に推察できるものである。
【００６９】
例えば、第１実施および第２実施の形態では、第１保持部材２２が土台部２１，２２１に固着され、第２保持部材２３，２２３が土台部２１，２２１に摺動可能に保持される場合を説明したが、必ずしもこれに限られるものではなく、第１保持部材２２が第２保持部材２３，２２３と同様に構成されることにより、土台部２１，２２１に摺動可能に保持されてもよい。また、第２持部材２３，２２３が第１保持部材２２と共に土台部２１，２２１に固着されていてもよい。第１保持部材２２及び第２保持部材２３，２２３が摺動可能であれば、リモコン部１０２を装着する作業がさらに容易となり、第１保持部材２２及び第２保持部材２３，２２３が所定の間隔を確保しつつ固着され、第１保持部材２２及び第２保持部材２３，２２３の有する弾性によりリモコン部１０２を挟持することで、より確実にリモコン部１０２を固定することができる。
【００７０】
上記各実施の形態では、第１当接部材２４ａ及び第２当接部材２４ｂ，２４ｃ，３２４ｂがシリコンゴム製である場合を説明したが、必ずしもこれに限られるものではなく、スポンジやウレタンを使用してもよい。また、第１実施の形態では、付勢部材２５がコイルばねである場合を説明したが、必ずしもこれに限られるものではなく、板ばねやゴムを使用してもよい。さらに、第１実施の形態では、付勢部材２５が、一端が規制部２３ｃに接続されると共に他端が内室２１ｂの第１保持部材２２が配設される側の側壁（図２（ａ）左側）に接続されている場合を説明したが、必ずしもこれに限られるものではなく、他端が内室２１ｂの第２保持部材２３が配設される側の側壁（図２（ａ）右側）に接続されていてもよい。
【００７１】
第３実施の形態では、土台部３２１は、一側面からその一側面に対向する側面に向けて貫通形成された挿通孔３２１ａを備えており、その挿通孔３２１ａには無端状に形成された緊締部材３２２が貫設されている場合を説明したが、必ずしもこれに限られるものではなく、緊締部材３２２が帯状に形成され、その緊締部材３２２の両端部が土台部３２１の一側面およびその一側面に対向する側面にそれぞれ接続されていてもよい。また、緊締部材３２２が、土台部３２１の一側面に接続されるものと、その一側面に対向する側面に接続されるものとの２つの部材から構成され、その２つの部材を連結させつつ、リモコン部１０２を土台部３２１に締め付けする構成であってもよい。さらに、緊締部材３２２は様々な装飾（例えば、バックルの装着、エナメル素材の被覆）が施されているものであってもよい。
【００７２】
上記各実施の形態では、板ばね部材３１が金属製である場合を説明したが、必ずしもこれに限られるものではなく、プラスチック製であってもよい。また、装着部３が板ばね部材３１を備え、その板ばね部材３１が渦巻状に湾屈する付勢する力を利用して手首に固定する場合を説明したが、必ずしもこれに限られるものではなく、例えば、装着部３が湾屈可能な革製や樹脂製から構成され、留め具や面ファスナーにより手首に固定される構成であってもよい。
【００７３】
また、上記各実施の形態では、被包部材３２の一表面は再帰反射性を有する蛍光塗料で着色されたシートを被覆している場合を説明したが、必ずしもこれに限られるものではなく、様々なデザインを施したシートを被覆してもよい。さらに、上記各実施の形態では、装着部３を手首に巻きつき固定する場合を説明したが、必ずしもこれに限られるものではなく、腕等の人体に巻きつき固定するものであればよい。
【符号の説明】
【００７４】
１，２０１                      リモコン保持器
２，２０２                      保持部
２１，２２１，３２１            土台部
２１ａ                          レール
２２１ｃ                        スリット
２２１ｄ                        調整部
２２１ｅ                        係合部
２２                            第１保持部材
２２ａ１                        第１対向面
２３，２２３                    第２保持部材
２３ａ                          挟持部
２３ａ１                        第２対向面
２２３ｄ                        ストッパ
２４ａ                          第１当接部材
２４ｂ，２４ｃ，３２４ｃ        第２当接部材
２５                            付勢部材
２６                            クッション材
３                              装着部
３１                            板ばね部材
３２                            被包部材
１００                          マッサージ器
１０１                          本体部
１０２                          リモコン部
３２２                          緊締部材
【手続補正２】
【補正対象書類名】実用新案登録請求の範囲
【補正対象項目名】全文
【補正方法】変更
【補正の内容】
【実用新案登録請求の範囲】
【請求項１】
マッサージ機能を有する本体部とその本体部を制御するリモコン部とを備えるマッサージ器の前記リモコン部を保持する保持部と、
前記保持部に配設されると共に人体に巻き付き可能に構成される装着部とを備えていることを特徴とするリモコン保持器。
【請求項２】
前記保持部は、前記リモコン部を下方から支持する土台部と、弾性体から構成されると共に両端が前記土台部に接続される帯状の緊締部材とを備えていることを特徴とする請求項１記載のリモコン保持器。
【請求項３】
前記保持部は、前記土台部と、その土台部に立設される第１保持部材と、その第１保持部材に対向して配設される第２保持部材とを備えていることを特徴とする請求項１記載のリモコン保持器。
【請求項４】
前記保持部は、第１保持部材および第２保持部材のうち少なくとも前記第２保持部材が前記第１保持部材に対して接近および離反可能に構成されていることを特徴とする請求項３記載のリモコン保持器。
【請求項５】
前記保持部は、第１保持部材および第２保持部材のうち少なくとも前記第２保持部材を前記第１保持部材へ向けて付勢する付勢部材を備えていることを特徴とする請求項４記載のリモコン保持器。
【請求項６】
前記土台部は、Ｕ字状に切り込まれたスリットと、前記スリットに包囲され前記第２保持部材の移動を規制する調整部とを備えると共に、箱状に形成され、
前記調整部は、前記第２保持部材が前記第１保持部材に対して接近および離反する方向に沿って少なくとも２つ形成される係合部を備え、
前記第１保持部材および前記第２保持部材のうち少なくとも前記第２保持部材は、前記係合部に係合するストッパを備え、
前記係合部と前記ストッパとが係合することにより少なくとも第２保持部材の移動が規制されていることを特徴とする請求項４又は５に記載のリモコン保持器。
【請求項７】
前記第１保持部材および前記第２保持部材は、互いに対向して配設され平面状に形成される対向面を備え、
前記保持部は、第１保持部材および第２保持部材のうち少なくとも前記第２保持部材を仮想直線に沿って移動可能に案内するレールを備えると共に、前記対向面は、前記仮想直線に対して垂直に構成されていることを特徴とする請求項４から６のいずれかに記載のリモコン保持器。
【請求項８】
前記第１保持部材および前記第２保持部材は、前記対向面に配設されると共に弾性体から構成される第１当接部材を備えていることを特徴とする請求項７記載のリモコン保持器。
【請求項９】
前記土台部は、上面側に配設されると共に弾性体から構成される第２当接部材を備えていることを特徴とする請求項１から８のいずれかに記載のリモコン保持器。
【請求項１０】
前記装着部は、平板状の板ばねとして形成される板ばね部材と、その板ばね部材を被包する被包部材とを備え、
前記板ばね部材は、前記板ばね部材の長手方向両端を一の屈曲方向に反らせることで平板形状を維持可能に形成されると共に、前記一の屈曲方向と反対方向に反らせることで前記板ばね部材の有する付勢力により渦巻状に湾屈可能に形成されることを特徴とする請求項１から９のいずれかに記載のリモコン保持器。
【請求項１１】
前記保持部は、弾性体からなるクッション材を備え、
前記装着部が前記クッション材に貫設されていることを特徴とする請求項１から１０のいずれかに記載のリモコン保持器。